(57)【特許請求の範囲】
【請求項１】
通信網を構成する複数の無線基地局と、これら無線基地局を介して携帯電話間で行われる通信処理を管理する管理サーバとを備えた携帯電話システムにおいて、
前記管理サーバは、
前記携帯電話が前記無線基地局を介して所定期間内に通信したことがあるか否かを示す通信履歴を、当該携帯電話毎に当該無線基地局別に記憶する通信履歴記憶手段と、
前記携帯電話間で前記無線基地局を介して通信が開始されると、この発信側携帯電話が当該無線基地局の通信エリア内で前記所定期間内に通信したことがあるか否かを、前記通信履歴記憶手段により記憶された通信履歴の内容を参照して判定する通信履歴判定手段と、
前記通信履歴判定手段により通信したことがないと判定された場合、前記発信側携帯電話が前記無線基地局を介して通信したことを前記通信履歴記憶手段に記憶させて前記通信履歴の内容を更新する通信履歴更新手段と、
前記通信履歴更新手段により更新された通信履歴に基づいて、前記所定期間内に前記発信側携帯電話からの通信を仲介した無線基地局の数を総計する無線基地局数総計手段と、
前記無線基地局数総計手段により総計された無線基地局総数を前記発信側携帯電話毎に記憶する無線基地局総数記憶手段と、
前記無線基地局総数記憶手段により記憶された前記発信側携帯電話に対する前記無線基地局総数を参照して、前記無線基地局総数に応じて当該発信側携帯電話を所有するユーザに提供する料金割引サービスの割引率を特定するサービス内容特定手段と、
を備えたことを特徴とする携帯電話システム。
【発明の詳細な説明】
【０００１】
【発明の属する技術分野】
本発明は、通話料金の割引サービス等、種々のサービスをユーザに提供することが可能な携帯電話システムに関する。
【０００２】
【従来の技術】
各携帯電話事業者は、ユーザを獲得あるいは確保する為、種々のサービスを考案してユーザに提供している。特に、基本料金や通話料金の割引サービスは、契約期間の長さに応じた割引サービス、或いは、予め携帯電話事業者により提示された複数の料金システムの中からユーザが選択した料金システムに基づいた割引サービス等である。
【０００３】
【発明が解決しようとする課題】
しかし、上記従来の携帯電話の料金サービスにおいては、以下に示す問題点があった。従来の携帯電話の料金サービスに係る契約内容は、通話時間の多少に拘わらず、ユーザが携帯電話事業者と契約し続けるだけで、その契約期間の長さに応じた割引サービスが提供される、というものであったり、また、予め定められた複数の料金システムの中からユーザが所望する料金システムに基づいた割引サービスが提供される、というものであった。従って、このような契約内容によれば、利用頻度の多少に拘わらず同一の割引サービスが実施されるので、ユーザにとって不平等であると共に、携帯電話事業者にとっては不経済であった。
【０００４】
本発明の課題は、利用頻度に応じた料金割引サービスの提供が行える携帯電話システムを実現することである。
【０００５】
【課題を解決するための手段】
本発明は、このような課題を解決するために、次のような特徴を備えている。なお、次に示す手段の説明中、括弧書きにより実施の形態に対応する構成を一例として示す。符号等は、後述する図面参照符号等である。
【０００６】
請求項１記載の発明は、通信網を構成する複数の無線基地局（例えば、図１に示す基地局Ａ〜Ｅ）と、これら無線基地局を介して携帯電話間で行われる通信処理を管理する管理サーバ（例えば、図１に示す管理サーバ１００）とを備えた携帯電話システム（例えば、図１に示す携帯電話システム１０）において、前記管理サーバは、前記携帯電話が前記無線基地局を介して所定期間内に通信したことがあるか否かを示す通信履歴を、当該携帯電話毎に当該無線基地局別に記憶する通信履歴記憶手段（例えば、図３に示す記憶装置１０２）と、前記携帯電話間で前記無線基地局を介して通信が開始されると、この発信側携帯電話が当該無線基地局の通信エリア内で前記所定期間内に通信したことがあるか否かを、前記通信履歴記憶手段により記憶された通信履歴の内容を参照して判定する通信履歴判定手段（例えば、図３に示すＣＰＵ１０１）と、前記通信履歴判定手段により通信したことがないと判定された場合、前記発信側携帯電話が前記無線基地局を介して通信したことを前記通信履歴記憶手段に記憶させて前記通信履歴の内容を更新する通信履歴更新手段（例えば、図３に示すＣＰＵ１０１）と、前記通信履歴更新手段により更新された通信履歴に基づいて、前記所定期間内に前記発信側携帯電話からの通信を仲介した無線基地局の数を総計する無線基地局数総計手段（例えば、図３に示すＣＰＵ１０１）と、前記無線基地局数総計手段により総計された無線基地局総数を前記発信側携帯電話毎に記憶する無線基地局総数記憶手段（例えば、図３に示す記憶装置１０２）と、前記無線基地局総数記憶手段により記憶された前記発信側携帯電話に対する前記無線基地局総数を参照して、前記無線基地局総数に応じて当該発信側携帯電話を所有するユーザに提供する料金割引サービスの割引率を特定するサービス内容特定手段（例えば、図３に示す記憶装置１０２）と、を備えたことを特徴とする。
【０００７】
請求項１記載の発明の携帯電話システム１０によれば、通信網を構成する複数の無線基地局と、これら無線基地局を介して携帯電話間で行われる通信処理を管理する管理サーバとを備えた携帯電話システムにおいて、前記管理サーバの備える通信履歴記憶手段は、前記携帯電話が前記無線基地局を介して所定期間内に通信したことがあるか否かを示す通信履歴を、当該携帯電話毎に当該無線基地局別に記憶し、通信履歴判定手段は、前記携帯電話間で前記無線基地局を介して通信が開始されると、この発信側携帯電話が当該無線基地局の通信エリア内で前記所定期間内に通信したことがあるか否かを、前記通信履歴記憶手段により記憶された通信履歴の内容を参照して判定し、通信履歴更新手段は、前記通信履歴判定手段により通信したことがないと判定された場合、前記発信側携帯電話が前記無線基地局を介して通信したことを前記通信履歴記憶手段に記憶させて前記通信履歴の内容を更新し、無線基地局数総計手段は、前記通信履歴更新手段により更新された通信履歴に基づいて、前記所定期間内に前記発信側携帯電話からの通信を仲介した無線基地局の数を総計し、無線基地局総数記憶手段は、前記無線基地局数総計手段により総計された無線基地局総数を前記発信側携帯電話毎に記憶し、サービス内容特定手段は、前記無線基地局総数記憶手段により記憶された前記発信側携帯電話に対する前記無線基地局総数を参照して、前記無線基地局総数に応じて当該発信側携帯電話を所有するユーザに提供する料金割引サービスの割引率を特定する。
【０００８】
従って、所定期間内にユーザが実際に利用した無線基地局総数に応じて、ユーザに提供する料金割引サービスの割引率を特定するので、ユーザが通話を行った範囲に応じて料金の割引サービスを設定することが可能となる。この料金割引サービスによれば、従来の契約期間に応じた料金割引サービスのようにユーザが実際に通話を行っていない場合にも料金割引サービスを提供するということがなく、ユーザが通話することによってのみ料金割引サービスを提供するので、通話による課金が確実に発生し、携帯電話事業者にとって大きな利益が期待できると共に、ユーザにとっても通話した分だけ料金が割引されるので経済的となる。
【００１５】
【発明の実施の形態】
以下、図１〜図９を参照して本発明の実施の形態における携帯電話システム１０について詳細に説明する。
【００１６】
まず、図１、２を参照して、本発明の一実施の形態における携帯電話システム１０の構成を説明する。
図１は、本実施の形態における、携帯電話システム１０の概略構成図である。
【００１７】
図１において、携帯電話システム１０は、複数のローカルエリアＬＡａ〜ＬＡｅと、ローカルエリアＬＡｄ内に代表して示す複数の基地局Ａ〜Ｅ及び、当該エリア内でユーザが携帯するＭＳ（Mobile Station；モバイルステーション）と、各ローカルエリアＬＡａ〜ＬＡｅ内の通信処理を集中管理する管理サーバ１００と、により構成される。
【００１８】
なお、図１に示すローカルエリア数や基地局数は、特に限定するものではない。また、図１では、ローカルエリアＬＡｄ内にのみ基地局とＭＳが存在することを示しているが、他のローカルエリアＬＡａ〜ＬＡｃ、ＬＡｅにも基地局とＭＳが存在し、説明を簡略化する為に、その図示を省略している。
【００１９】
各ローカルエリアＬＡａ〜ＬＡｅは、それぞれ異なるＬＡＣ（Local Area Code；ローカルエリアコード）が割り当てられており、上記管理サーバ１００は、このＬＡＣにより各ローカルエリアＬＡａ〜ＬＡｅを識別する。例えば、図１に示すように、ローカルエリアＬＡａ〜ＬＡｅに割り当てられたＬＡＣは、それぞれ“０×０００１”〜“０×０００５”である。また、ＭＳは、ＵＳＥＲ ＩＤ（Identity）が割り当てられており、管理サーバ１００は、このＵＳＥＲ ＩＤにより各ＭＳを識別する。
【００２０】
また、ローカルエリアＬＡｄと同様に、他の各ローカルエリアＬＡａ〜ＬＡｃ、ＬＡｅにも複数の基地局が配設されており、各基地局がカバーする通信領域をセル（ＣＥＬＬ）と呼ぶ。各セルには、異なるＣＥＬＬ ＩＤが割り当てられており、上記管理サーバ１００は、このＣＥＬＬ ＩＤにより各ローカルエリアＬＡａ〜ＬＡｅ内に形成されたセルを識別する。
【００２１】
図２は、図１に示すローカルエリアＬＡｄ内の概略構成図である。
図２は、ローカルエリアＬＡｄに配設された基地局Ａ〜Ｅ、及び各基地局Ａ〜Ｅがカバーするセルを示す。これらの基地局Ａ〜Ｅがカバーする各セルに割り当てられたＣＥＬＬ ＩＤは、それぞれ、“０×０００１”〜“０×０００５”である。
【００２２】
管理サーバ１００は、各ローカルエリアＬＡａ〜ＬＡｅに割り当てられたＬＡＣと、各基地局がカバーするセルに割り当てられたＣＥＬＬ ＩＤとの組み合わせにより、各ローカルエリアＬＡａ〜ＬＡｅの基地局を一意に決定することが可能となる。
【００２３】
ここで、上記ＬＡＣ、及びＣＥＬＬ ＩＤは、３ＧＰＰ（Third Generation Partnership Project）と称される無線伝送方式の次世代国際共同規格に基づくパラメータである。この３ＧＰＰプロジェクトは、ネットワーク技術として、発展型ＧＳＭ（Global System for Mobile communication）ＭＡＰを前提に、また、無線伝送方式として、Ｗ―ＣＤＭＡに基づいたＦＤＤ（Frequency Division Duplex；周波数分割双方向伝送）およびＴＤＤ（Time Division Duplex；時分割双方向伝送）を含むと共に、それら２つの伝送方式の運用を可能とするＵＴＲＡ（Universal Terrestrial Radio Access）を前提としている。
【００２４】
また、ユーザが携帯するＭＳは、図中符号Ａに示す経路に沿ってローカルエリアＬＡｄ（そのＬＡＣは“０×０００４”）内の各セルを移動するものとする。
【００２５】
ユーザが携帯するＭＳが、ローカルエリアＬＡｄ内を移動しながら上記各基地局Ａ〜Ｅと通信を行った際、各基地局Ａ〜Ｅは、その通信状況を示すコマンドやデータを管理サーバ１００に送信し、管理サーバ１００は、その受信データに応じてその記憶装置内に格納される「基地局管理表」データ、及び「発信済み基地局数」データを、後述する所定の手続きに基づいて更新する（図９〜図１３参照）。上記「基地局管理表」データは、ＭＳに割り当てられたＵＳＥＲ ＩＤ毎に設けられるものであり、上記「発信済み基地局数」データと共に管理サーバ１００によって一括管理される。
【００２６】
ここで、管理サーバ１００の内部構成を説明する。図３は、管理サーバ１００の内部構成を示す概略ブロック図である。
【００２７】
図３に示すように、管理サーバ１００は、ＣＰＵ１０１、記憶装置１０２、ＲＡＭ１０３、通信制御装置１０４、入力装置１０５、及び、表示装置１０６から概略構成されており、各部はバス１０７により接続される。
【００２８】
ＣＰＵ１０１は、各ＭＳの現在位置を示す位置情報を検出し、その検出したＭＳの位置情報を、記憶装置１０２内に形成されたロケーションレジスタ（図示略）に格納する。
【００２９】
ＣＰＵ（Central Processing Unit）１０１は、ＣＭサービス要求信号（図５、及び図７参照）を受信すると、そのＣＭサービス要求信号を送信したＭＳのＵＳＥＲ ＩＤと、この信号を仲介して管理サーバ１００に送信した仲介基地局のカバーするセルのＣＥＬＬ ＩＤ、及び、そのセルの配設されたローカルエリアのＬＡＣを検出し、その検出したＵＳＥＲ ＩＤ、ＣＥＬＬ ＩＤ、及びＬＡＣを後述するＲＡＭ１０３内に形成される所定ワークエリア（図示略）内に一時的に記憶する。
【００３０】
ＣＰＵ１０１は、発呼元ＭＳが送信したＣＭサービス要求信号を受信すると、そのＭＳとの間で一連の通話シーケンス処理（図５参照）を実行し、当該発呼元ＭＳと発呼先ＭＳとの間の通話チャネルを設定する。
【００３１】
ＣＰＵ１０１は、上記一連の通話シーケンス処理において、ローカルエリアＬＡａ〜ＬＡｅ等の中から発呼先ＭＳの存在するローカルエリアを上記位置情報に基づいて特定し、その特定したローカルエリア内に配設された全ての基地局（或いは、その一部）に対し、通話シーケンスを実行する為、各種制御信号や発／着呼信号を制御する。
【００３２】
ＣＰＵ１０１は、発呼元ＭＳから切断要求信号を受信すると、そのＭＳとの間で一連の通信終了シーケンス処理（図６（ａ）参照）を実行し、当該ＭＳとの間の通話チャネルを開放すると共に、通信切断信号を発呼先ＭＳに送信し、その発呼先ＭＳに対して一連の通信終了シーケンス処理（図６（ｂ）参照）を実行し、当該ＭＳに対する通信処理を終了する。
【００３３】
ＣＰＵ１０１は、発呼元ＭＳと発呼先ＭＳとの間の通話チャネルを設定すると、記憶装置１０２内に格納された「基地局管理表」データ（図９参照）、及び「発信済み基地局数」データ（図９参照）等を、後述する所定の更新方法に従って随時更新する。
【００３４】
ＣＰＵ１０１は、発呼元ＭＳと発呼先ＭＳとの間の通話チャネルを設定すると、予め定められた所定の通話時間計測方法に従ってその通話時間を随時計測し、その計測した通話時間データをＲＡＭ１０３内に形成された所定ワークエリア内に記憶する。ここで、上記通話時間計測方法は、例えば、発呼元ＭＳと発呼先ＭＳとの間の通話が開始された時点で通話時間の計測を開始し、その通話が終了した時点で通話時間の計測を終了する計測方法等がある。なお、図３に示す管理サーバ１００内に、通話時間を計測する為のカウント手段を設けても良いことは言うまでもない。
【００３５】
ＣＰＵ１０１は、入力装置１０５からの制御信号に応じて、記憶装置１０２内に格納された「基地局管理表」データ等の各種表示情報を表示装置１０６の表示画面上に表示させる。
【００３６】
記憶装置１０２は、携帯電話システム１０を管理する為の主管理プログラムや、そのプログラムに付随する各種アプリケーションプログラム等を記憶すると共に、携帯電話システム１０を構成する各ローカルエリアＬＡａ〜ＬＡｅに割り当てられたＬＡＣ、これら各ローカルエリアＬＡａ〜ＬＡｅ内に複数配設された基地局のカバーする各セルに割り当てられたＣＥＬＬ ＩＤ、及び、携帯電話システム１０を利用可能な各ユーザの携帯するＭＳに割り当てられたＵＳＥＲ ＩＤ等の各種データを記憶する。
【００３７】
また、記憶装置１０２は、ＣＰＵ１０１により検出された各ＭＳの現在位置を示す位置情報を記憶する為のロケーションレジスタ（図示略）を備える。
【００３８】
更に、記憶装置１０２は、「基地局管理表」データ、及び「発信済み基地局数」データ等、携帯電話システム１０に対するユーザの利用状況を示す各種データを記憶する。
【００３９】
ＲＡＭ１０３（Random Access Momory）は、ＣＰＵ１０１により、記憶装置１０２から読み出された上記各種プログラムを展開する為のプログラム格納エリア（図示略）、及びそれらプログラムの実行において生じる各種データ（入力指示データ、入力データ、及び処理結果）等を一時的に記憶する為のワークエリア（図示略）等を形成する。
【００４０】
通信制御装置１０４は、各ＭＳとの間の通話シーケンス処理（図５参照）や、通信終了シーケンス処理（図６（ａ）、及び（ｂ）参照）において、各基地局、発呼元、及び発呼先ＭＳとの間で各種通信情報（コマンド信号等）を送受信する。
【００４１】
表示装置１０６は、ＣＲＴ（Cathode Ray Tube）、ＬＣＤ（Liquid Crystal Display）等の表示画面を備え、各基地局の通信状況、或いは、記憶装置１０２に格納された「基地局管理表」データ等、携帯電話システム１０に対するユーザの利用状況を示す各種データ等を表示する。
【００４２】
入力装置１０５は、キーボードや、マウス等を具備し、キーボードで押下されたキーの押下信号、及びマウスによる操作信号等をＣＰＵ１０１に出力する。
【００４３】
次いで、図４〜図９を参照して、本発明の一実施の形態における携帯電話システム１０の動作を説明する。
【００４４】
図４は、ユーザに対する割引サービスを実施する為の「基地局管理表」データ（図９（ａ）参照）、及び「発信済み基地局数」データ（図９（ｂ）参照）の更新処理を説明するフローチャートであり、図５は、発呼元ＭＳから網への発信時に行われる通話シーケンス処理を示すラダー図である。
【００４５】
ＣＰＵ１０１は、発呼元ＭＳが各基地局Ａ〜Ｅの何れかにＣＭサービス要求信号を発信すると、そのＭＳのＵＳＥＲ ＩＤ、受信した基地局が配設されたローカルエリアのＬＡＣ、及びその基地局のカバーするセルのＣＥＬＬ ＩＤを検出し、その検出したＵＳＥＲ ＩＤ、ＬＡＣ、及びＣＥＬＬ ＩＤをＲＡＭ１０３内に記憶する。次いでＣＰＵ１０１は、その記憶したＵＳＥＲ ＩＤ、ＬＡＣ、及びＣＥＬＬ ＩＤに対し、料金の割引サービスを実施する為の「基地局管理表」データ、及び「発信済み基地局数」データを更新する。
【００４６】
以下、詳細に説明する。まず、ユーザは、自身が携帯するＭＳに対して発信要求操作を行い、図５に示す一連の通話シーケンス処理を開始する。次いで、図５における図中符号Ｂに示すように、その発信要求操作に応じてＭＳが発信したＣＭサービス要求信号（図７参照）を網が受信すると（図４のステップＳ４１）、ＣＰＵ１０１は、そのＭＳのＵＳＥＲ ＩＤ、受信した基地局が配設されたローカルエリアのＬＡＣ、及びその基地局がカバーするセルのＣＥＬＬ ＩＤを検出し、その検出したＵＳＥＲ ＩＤ、ＬＡＣ、及びＣＥＬＬ ＩＤに基づいて、当該ＭＳが当該基地局に対して所定期間内にＣＭサービス要求信号を発信したことがあるか否かを判定する（ステップＳ４２）。
【００４７】
ここで、上記ＣＭサービス要求信号の詳細な内容を図７に示す。図７（ａ）は、ＭＳが網に送信するＣＭサービス要求信号の内容を説明する図であり、図７（ｂ）は、ＣＭサービス要求信号のデータフォーマットを示す図である。
【００４８】
図７（ａ）に示すように、ＣＭサービス要求信号は、８つの要素、すなわち“Ｐｒｏｔｏｃｏｌ  Ｄｉｓｃｒｉｍｉｎａｔｏｒ”、“Ｓｋｉｐ  Ｉｎｄｉｃａｔｏｒ”、“ＣＭ  ｓｅｒｖｉｃｅ  ｒｅｑｕｅｓｔ  ｍｅｓｓａｇｅ  ｔｙｐｅ”、“ＣＭ  ｓｅｒｖｉｃｅ  ｔｙｐｅ”、“Ｃｉｐｈｅｒｉｎｇ  ｋｅｙ  ｓｅｑｕｅｎｃｅ  ｎｕｍｂｅｒ”、“Ｍｏｂｉｌｅ  ｓｔａｔｉｏｎ  ｃｌａｓｓｍａｒｋ（ｃｌａｓｓｍａｒｋ２）”、“Ｍｏｂｉｌｅ  ｉｄｅｎｔｉｔｙ”、及び“ｐｒｉｏｒｉｔｙ”から構成される。
【００４９】
例えば、上記８つの要素のうち、“Ｐｒｏｔｏｃｏｌ  Ｄｉｓｃｒｉｍｉｎａｔｏｒ”について説明する。この要素は、図７（ａ）の“存在”の項目に“必須”と記録されていることから、ＣＭサービス要求信号に必ず含まれる要素であり、また“フォーマット”の項目に“Ｖ”と記録されていることから、その要素は値だけによって構成されるものであり、更に“長さ”の項目に“１／２”と記録されていることから、この要素は１／２バイト（４ビット）のデータ長を有することがわかる。実際、図７（ｂ）に示すフォーマットによれば、“ＰＤ（Ｐｒｏｔｏｃｏｌ  Ｄｉｓｃｒｉｍｉｎａｔｏｒ）”と記録された要素は４ビット分のデータ長を有していることがわかる。従って、前述したステップＳ４２において、ＣＰＵ１０１は、ＣＭサービス要求信号を発信したか否かを判定することにより、そのＭＳが網に対して発信したか否かを判定することが可能となる。
【００５０】
また、図７（ａ）の“説明”の項目に示すように、この“Ｐｒｏｔｏｃｏｌ  Ｄｉｓｃｒｉｍｉｎａｔｏｒ”は、メッセージの送受信を行うタスク識別子である。
【００５１】
なお、図７（ａ）の“フォーマット”の項目に“Ｖ”と記録されていれば、そのデータは値のみにより構成され、“ＬＶ”と記録されていれば、そのデータは値と共にデータ長を含み、また、“ＴＶ”と記録されていれば、そのデータは値と共にそのデータの種類を識別する情報を含む。
【００５２】
再び、図４の説明に戻る。ステップＳ４２において、上記ＭＳは、所定期間内に当該基地局に対しＣＭサービス要求信号を発信したことがない場合（ステップＳ４２；Ｎｏ）、ＣＰＵ１０１は、このＭＳのＵＳＥＲ ＩＤに対する「基地局管理表」データを記憶装置１０２からロードし、該当するローカルエリアコード（ＬＡＣ）に付随するＣＥＬＬ ＩＤの項目に“発信済み”であることを示すフラグデータ（図示略）をセットし（ステップＳ４３）、この「基地局管理表」データを記憶装置１０２内に再び格納する。
【００５３】
次いで、ＣＰＵ１０１は、「発信済み基地局数」データを記憶装置１０２からロードし、上記ＭＳのＵＳＥＲ ＩＤの所定欄に記録されたデータに１を加えて発信済み基地局数の数を更新した後（ステップＳ４４）、この更新した「発信済み基地局数」データを記憶装置１０２に再び格納して後述するステップＳ４５に移行する。
【００５４】
次いで、図９（ａ）及び（ｂ）を参照して、ユーザが所定期間中に、あるローカルエリア内の各基地局にＣＭサービス要求信号を発信したことがあるか否かを記録した上記「基地局管理表」データ、及び「基地局管理表」データから算出された上記「発信済み基地局数」データの内容を図９に例示する。
【００５５】
図９（ａ）に示す複数の「基地局管理表」データは、ＵＳＥＲ ＩＤが“００７７９４９５”のＭＳに対するデータであり、ローカルエリアＬＡａ（そのＬＡＣは“０×０００１”）およびローカルエリアＬＡｄ（そのＬＡＣは“０×０００４”）における「基地局管理表」データの内容を示す。
【００５６】
図９（ａ）に示すように、ローカルエリアＬＡａ（そのＬＡＣは“０×０００１”）における「基地局管理表」データには、ＣＥＬＬ ＩＤが“０×０００３”、“０×０００４”、及び“０×０００５”の各基地局（セル）の“チェック”の項目に“発信済”であることを示すフラグデータが記録されている。すなわち、ＵＳＥＲ ＩＤが“００７７９４９５”のＭＳは、所定期間内にローカルエリアＬＡａ内で上記３つのセル（ＣＥＬＬ ＩＤは“０×０００３”、“０×０００４”、及び“０×０００５”）をカバーする各基地局に対してＣＭサービス要求信号を発信したことがわかる。
【００５７】
また、ローカルエリアＬＡｄ（そのＬＡＣは“０×０００４”）における「基地局管理表」データには、ＣＥＬＬ ＩＤが“０×０００１”〜“０×０００５”の各基地局（セル）の“チェック”の項目に、“発信済”であることを示すフラグデータが記録されている。すなわち、ＵＳＥＲ ＩＤが“００７７９４９５”のＭＳは、所定期間内にローカルエリアＬＡｄ内で上記５つのセル（ＣＥＬＬＩＤは“０×０００１”〜“０×０００５”）をカバーする各基地局に対してＣＭサービス要求信号を発信したことがわかる。
【００５８】
図９（ｂ）に示す「発信済み基地局数」データは、４つのＵＳＥＲ ＩＤ、すなわち、“００７７９４９５”〜“００７７９４９８”のＵＳＥＲ ＩＤに対する各種データから構成される。例えば、ＵＳＥＲ ＩＤが“００７７９４９５”のデータは、“ＴＯＴＡＬ  ＣＯＵＮＴ”の項目に“３０”と記録されており、“ＳＥＲＶＩＣＥ  ＬＥＶＥＬ”の項目に“Ｂ”と記録されている。従って、このＵＳＥＲ ＩＤのＭＳは、発信済み基地局数の総計が３０であり通話料金が１０％オフとなることがわかる。
【００５９】
ここで、図９（ｂ）に示す“ＳＥＲＶＩＣＥ  ＬＥＶＥＬ”の設定内容について説明する。“ＴＯＴＡＬ  ＣＯＵＮＴ”が１０〜２９のユーザ（ＭＳ）は“Ｃレベル（５％オフ）”であり、３０〜４９のユーザ（ＭＳ）は“Ｂレベル（１０％オフ）”であり、また、５０以上のユーザ（ＭＳ）が“Ａレベル（２０％オフ）”である。
【００６０】
なお、“ＳＥＲＶＩＣＥ  ＬＥＶＥＬ”の設定内容は上記したものに限らず、どのように設定するかは携帯電話事業者により自由である。例えば、この設定内容をサービス対象者によって異なるものとしても良く、サービス対象者が個人の場合と企業の場合とで異なるサービス内容を設定するようにしても良い。
【００６１】
また、ステップＳ４２において、所定期間内に、あるローカルエリア内の当該基地局に対してＣＭサービス要求信号を発信したことがある場合（ステップＳ４２；Ｙｅｓ）、ＣＰＵ１０１は、ステップＳ４５に移行し、上記発呼元ＭＳとの間で図５に示す一連の通話シーケンス処理を継続する（ステップＳ４５）。この際、ＣＰＵ１０１は、このＭＳと発呼先ＭＳとの間で通話チャネルを設定し、図中符号Ｃに示すように接続通知（図８参照）を網に送信して、発呼先ＭＳとの間の通話を開始すると共に、通話が開始された時点でＭＳに対する課金を発生させる。
【００６２】
更に、上述した例では、ＭＳからのＣＭサービス要求信号を網側が受信した時をトリガとして管理サーバ１００内の履歴や回数が更新されるが、前記課金の発生するＭＳからの「接続通知」を網側が受信した時をトリガとして本発明の「基地局管理表」が更新される構成にすれば、事業者側にとって更に合理的な割引サービスが提供できる。
【００６３】
ここで、発呼元ＭＳから網に発信された上記接続通知の詳細な内容を図８に示す。図８（ａ）は、図５に示す通話シーケンス処理において、発呼元ＭＳが網へ発信する接続通知の内容を示す図であり、図８（ｂ）は、接続通知のデータフォーマットを示す図である。
【００６４】
図８（ａ）に示すように、接続通知は、３つの要素、すなわち、“Ｐｒｏｔｏｃｏｌ  Ｄｉｓｃｒｉｍｉｎａｔｏｒ（ＰＤ）”、“Ｔｒａｎｓａｃｔｉｏｎ  Ｉｄｅｎｔｉｔｙ（ＴＩ）”、及び“Ｃｏｎｎｅｃｔ  ａｃｋｎｏｗｌｅｄｇｅ
ｍｅｓｓａｇｅ  ｔｙｐｅ”から構成される。
【００６５】
例えば、上記３つの要素のうち、“Ｐｒｏｔｏｃｏｌ  Ｄｉｓｃｒｉｍｉｎａｔｏｒ（ＰＤ）”について説明する。この要素は、図８（ａ）の“存在”の項目に“必須”と記録されていることから、接続通知には必ず含まれる要素であり、また“フォーマット”の項目に“Ｖ”と記録されていることから、この要素は値だけから構成されるものであり、更に“長さ”の項目に“１／２”と記録されていることから、この要素は１／２バイト（４ビット）のデータ長を有することがわかる。実際、図８（ｂ）に示すフォーマットによれば、“ＰＤ（Ｐｒｏｔｏｃｏｌ  Ｄｉｓｃｒｉｍｉｎａｔｏｒ）”と記録されたデータは４ビット分のデータ長を有していることがわかる。
【００６６】
また、通話終了時、図６（ａ）、および（ｂ）に示す一連の通信終了シーケンスに従って、網と発呼元ＭＳ、および発呼先ＭＳとの間の通信が開放される。図６（ａ）は、発呼元ＭＳの通話切断による通信終了シーケンスを示すラダー図であり、図６（ｂ）は、発呼元ＭＳからの通話切断要求に応じた網の通話切断による通信終了シーケンスを示すラダー図である。
【００６７】
図６（ａ）に示すように、ＣＰＵ１０１は、ユーザにより入力された切断要求信号を発呼元ＭＳが当該基地局に発信すると、そのＭＳとの間で一連の通信終了シーケンス処理を実行し、この発呼元ＭＳとの間の通話チャネルを開放して通信処理を終了すると共に、図６（ｂ）に示すように、発呼元ＭＳから発信された切断要求信号を受信すると、その通信切断信号を発呼先ＭＳに送信し、その発呼先ＭＳとの間で一連の通信終了シーケンス処理を実行し、この発呼先ＭＳとの間の通話チャネルを開放して通信処理を終了する。
【００６８】
以上説明したように、本実施の形態における携帯電話システム１０によれば、ＣＰＵ１０１は、各ＭＳにそれぞれ割り当てられた「基地局管理表」データ、及び「発信済み基地局数」データを管理し、ＭＳがあるローカルエリア内の所定の基地局にＣＭサービス要求信号を発信した際、所定期間内にその基地局に発信したことがない場合、「基地局管理表」データにおけるそのローカルエリア内の当該基地局のＣＥＬＬ ＩＤの項目に発信があったことを記録し、上記ＭＳのＵＳＥＲ  ＩＤに対する「発信済み基地局数」データに１を加える。
【００６９】
従って、管理サーバ１００が管理する「基地局管理表」データ、及び「発信済み基地局数」データにより、所定期間内に各ローカルエリアにおいてユーザが通話に利用した基地局（セル）の総数が算出され、その算出された基地局の総数により、ユーザが通話を行った領域の広さや通話接続回数、通話時間等を評価することが可能となる。
【００７０】
その為、上記通話に利用した基地局の総数、すなわち、ユーザが通話を行った範囲に応じて料金の割引サービスを設定することが可能となる。この料金割引サービスによれば、従来の契約期間に応じた料金割引サービスのようにユーザが実際に通話を行っていないにも拘わらずサービスを提供しなければならないということがなく、ユーザが通話することによってのみ割引サービスが提供されるので、通話による課金が確実に発生し、携帯電話事業者にとって大きな利益が期待できると共に、ユーザにとっても通話した分だけ料金が割引されるので経済的となる。
【００７１】
また、各ローカルエリアＬＡａ〜ＬＡｅをそれぞれ識別するＬＡＣ、及び各セルをそれぞれ識別するＣＥＬＬ ＩＤは、何れも３ＧＰＰのパラメータとして定義されているので、このような識別子を改めて設定する等の大きな仕様変更を行う必要なく、上述した料金割引サービスを実施することが可能となる。
【００７２】
なお、本発明は、上記実施の形態の内容に限定されるものではなく、本発明の趣旨を逸脱しない範囲で適宜変更可能である。例えば、上記実施の形態において、「基地局管理表」データに記憶される内容は、ユーザ（ＭＳ）が、所定期間内に、あるローカルエリア内の各基地局にＣＭサービス要求信号を発信したことがあるか否かを識別する為のビットデータであったが、所定期間中に各基地局にＣＭサービス要求信号を発信した発信回数を「基地局管理表」データに記憶するようにしても良い。この際、ＣＰＵ１０１は、得られた「基地局管理表」データに基づいて各ＵＳＥＲ ＩＤそれぞれに対して「発信回数」データを更新し、その「発信回数」データに基づいて料金割引サービスをユーザに提供する。
【００７３】
更に、「基地局管理表」データに記憶する内容を、上記所定期間中に、あるローカルエリア内の各基地局にＣＭサービス要求信号を発信した発信回数とするのではなく、所定期間中に、あるローカルエリア内の各基地局を介して通話した通話時間を評価し、その評価データを「基地局管理表」データに記憶するようにしても良い。その際、ＣＰＵ１０１は、得られた「基地局管理表」データに基づいて「通話時間」データを更新し、その「通話時間」データに基づいて料金割引サービスをユーザに提供する。
【００７４】
まず、図１０、図１１を参照して、ユーザが所定期間中に、あるローカルエリア内の各基地局にＣＭサービス要求信号を発信した発信回数を「基地局管理表」データに記録する場合について説明する。
【００７５】
図１０は、ユーザが所定期間中に、あるローカルエリア内の各基地局にＣＭサービス要求信号を発信した発信回数を「基地局管理表」データに記録する記録処理を説明するフローチャートであり、図１１（ａ）は、ユーザが所定期間中にローカルエリアＬＡａ、ＬＡｄ内における各基地局にＣＭサービス要求信号を発信した発信回数を記録した「基地局管理表」データの内容を例示する図であり、図１１（ｂ）は、図１１（ａ）に示す「基地局管理表」データから算出された「発信回数」データの内容を例示する図である。
【００７６】
図１０に示すフローチャートにおいて、ＣＰＵ１０１は、発呼元ＭＳが発信したＣＭサービス要求信号を受信すると、そのＭＳのＵＳＥＲ ＩＤ、受信した基地局が配設されたローカルエリアのＬＡＣ、及びその基地局がカバーするセルのＣＥＬＬ ＩＤを検出し、その検出したＵＳＥＲ ＩＤ、ＬＡＣ、及びＣＥＬＬ ＩＤをＲＡＭ１０３内に記憶する。次いでＣＰＵ１０１は、その記憶したＵＳＥＲ ＩＤ、ＬＡＣ、及びＣＥＬＬ ＩＤに対し、料金の割引サービスを実施する為の「基地局管理表」データ、及び「発信回数」データを更新する。
【００７７】
以下、詳細に説明する。まず、ユーザは、自身が携帯するＭＳに対して発信要求操作を行い、図５に示す一連の通話シーケンス処理を開始する。次いで、図５における図中符号Ｂに示すように、その発信要求操作に応じてＭＳが発信したＣＭサービス要求信号（図７参照）を網が受信すると（図１０のステップＳ１１）、ＣＰＵ１０１は、そのＭＳのＵＳＥＲ ＩＤ、受信した基地局が配設されたローカルエリアのＬＡＣ、及びその基地局がカバーするセル（基地局）のＣＥＬＬＩＤとを検出し、その検出したＵＳＥＲ ＩＤ、ＬＡＣ、及びＣＥＬＬ ＩＤを記憶装置１０２内に記憶すると共に、このＵＳＥＲ ＩＤのカウンタ値クリア期限が経過したか否かを判定する（ステップＳ１２）。
【００７８】
すなわち、各ＵＳＥＲ ＩＤに対するカウンタ値には、上記カウンタ値クリア期限という有効期限が設けられており、管理サーバ１００は、その有効期限内に更新されたカウンタ値に基づいた料金割引サービスをユーザに提供する。
【００７９】
ステップＳ１２において、カウンタ値クリア期限が経過した場合（ステップＳ１２；Ｙｅｓ）、ＣＰＵ１０１は、このＭＳのＵＳＥＲ ＩＤに対する「基地局管理表」データを記憶装置１０２からロードして、該当するローカルエリアコード（ＬＡＣ）に付随するＣＥＬＬ ＩＤに対する“ＣＯＵＮＴ”の項目に記録されたデータを“１”にセットした後（ステップＳ１５）、この「基地局管理表」データを記憶装置１０２内に再び格納し、ステップＳ１４に移行する。
【００８０】
また、ステップＳ１２において、カウンタ値クリア期限が経過してない場合（ステップＳ１２；Ｎｏ）、ＣＰＵ１０１は、このＭＳのＵＳＥＲ ＩＤに対する「基地局管理表」データを記憶装置１０２からロードして、該当するローカルエリアコード（ＬＡＣ）に付随するＣＥＬＬ ＩＤに対する“ＣＯＵＮＴ”の項目に記録されたデータに“１”を加えた後（ステップＳ１３）、ステップＳ１４に移行して、図５に示す一連の通話シーケンス処理を継続する（ステップＳ１４）。ＣＰＵ１０１は、この一連の通話シーケンス処理において、このＭＳと発呼先ＭＳとの間の通話チャネルを設定し、このＭＳに対する通話を開始する。
【００８１】
次いで、ＣＰＵ１０１は、上記「基地局管理表」データに基づいて、「発信回数」データを更新する。すなわち、この「基地局管理表」データに記憶された全ての発信回数を総計し、その総計した値を「発信回数」データに記憶する。
【００８２】
次いで、図１１（ａ）及び（ｂ）を参照して、所定期間中にＭＳが、あるローカルエリア内の各基地局にＣＭサービス要求信号を発信した発信回数を記録した上記「基地局管理表」データ、及び、この「基地局管理表」データから算出された上記「発信回数」データの内容を図１１に例示する。
【００８３】
図１１（ａ）に示す複数の「基地局管理表」データは、ＵＳＥＲ ＩＤが“００７７９４９５”のＭＳに対するデータであり、ローカルエリアＬＡａ（そのＬＡＣは“０×０００１”）およびローカルエリアＬＡｄ（そのＬＡＣは“０×０００４”）における「基地局管理表」データの内容を示す。
【００８４】
図１１（ａ）に示すように、ローカルエリアＬＡａ（そのＬＡＣは“０×０００１”）における「基地局管理表」データは、ＣＥＬＬ ＩＤが“０×０００３”、“０×０００４”、及び“０×０００５”の各基地局（セル）の“ＣＯＵＮＴ”の項目に“２”、“１”、及び“１”がそれぞれ記録されている。すなわち、ＵＳＥＲ ＩＤが“００７７９４９５”のＭＳが、ローカルエリアＬＡａ内の上記３つのセル（ＣＥＬＬ ＩＤは“０×０００３”、“０×０００４”、及び“０×０００５”）に対しＣＭサービス要求信号を発信した発信回数は、所定期間内にそれぞれ２回、１回、及び１回であることがわかる。
【００８５】
また、ローカルエリアＬＡｄ（そのＬＡＣは“０×０００４”）における「基地局管理表」データには、ＣＥＬＬ ＩＤが“０×０００１”〜“０×０００５”の基地局（セル）の“ＣＯＵＮＴ”の項目に、それぞれ“１”、“２”、“１”、“１”、及び“３”が記録されている。すなわち、ＵＳＥＲ ＩＤが“００７７９４９５”のＭＳが、所定期間内にローカルエリアＬＡｄ内の上記５つのセル（ＣＥＬＬ ＩＤは“０×０００１”〜“０×０００５”）に対しＣＭサービス要求信号を発信した発信回数は、それぞれ１回、２回、１回、１回、及び、３回であることがわかる。
【００８６】
図１１（ｂ）に示す「発信回数」データは、４つのＵＳＥＲ ＩＤ、すなわち、“００７７９４９５”〜“００７７９４９８”のＵＳＥＲ ＩＤに対する各種データから構成される。例えば、ＵＳＥＲ ＩＤが“００７７９４９５”のデータは、“ＴＯＴＡＬ  ＣＯＵＮＴ”の項目に“３００”と記録されていることから、発信回数の総計が３００であり、“ＳＥＲＶＩＣＥ  ＬＥＶＥＬ”の項目に“Ｂ”と記録されていることから、通話料金が１０％オフとなることがわかる。
【００８７】
ここで、図１１（ｂ）に示す“ＳＥＲＶＩＣＥ  ＬＥＶＥＬ”の設定内容について説明する。“ＴＯＴＡＬ  ＣＯＵＮＴ”が２００〜３９９のユーザ（ＭＳ）は“Ｃレベル（５％オフ）”であり、４００〜６９９のユーザ（ＭＳ）は“Ｂレベル（１０％オフ）”であり、また、７００以上のユーザ（ＭＳ）が“Ａレベル（２０％オフ）”である。
【００８８】
なお、“ＳＥＲＶＩＣＥ  ＬＥＶＥＬ”の設定内容は上記したものに限らず、どのように設定するかは携帯電話事業者により自由である。例えば、この設定内容をサービス対象者によって異なるものとしても良く、サービス対象者が個人の場合と企業の場合とで異なるサービス内容を設定するようにしても良い。
【００８９】
従って、所定期間内においてユーザ（ＭＳ）が各ローカルエリア内の各基地局に発信した発信回数が「基地局管理表」データに記憶され、その「基地局管理表」データから全ての基地局に発信した発信回数の合計が算出されるので、実際にユーザが網を利用した回数に基づいたサービスが提供され、ユーザの利用頻度が十分反映された割引サービスの提供が可能となる。
【００９０】
次いで、図１２、図１３を参照して、ユーザが所定期間中に、あるローカルエリア内の各基地局を介して通話した通話時間の評価データを「基地局管理表」データに記録する場合について説明する。
【００９１】
図１２は、ユーザが所定期間中に、あるローカルエリア内の各基地局を介して通話した通話時間の評価データを「基地局管理表」データに記憶する記憶処理を説明するフローチャートであり、図１３（ａ）は、ユーザが所定期間中にローカルエリアＬＡａ、ＬＡｄ内の各基地局を介して通話した通話時間の評価データを記憶した「基地局管理表」データの内容を例示する図であり、図１３（ｂ）は、図１３（ａ）に示す「基地局管理表」データから算出された「通話時間」データの内容を例示する図である。
【００９２】
図１２に示すフローチャートにおいて、ＣＰＵ１０１は、発呼元ＭＳが発信したＣＭサービス要求信号を受信すると、そのＭＳのＵＳＥＲ ＩＤ、受信した基地局が配設されたローカルエリアのＬＡＣ、及びその基地局がカバーするセルのＣＥＬＬ ＩＤを検出し、その検出したＵＳＥＲ ＩＤ、ＬＡＣ、及びＣＥＬＬ ＩＤをＲＡＭ１０３内に記憶する。次いでＣＰＵ１０１は、その記憶したＵＳＥＲ ＩＤ、ＬＡＣ、及びＣＥＬＬ ＩＤに対し、料金の割引サービスを実施する為の「基地局管理表」データ、及び「通話時間」データを更新する。
【００９３】
以下、詳細に説明する。まず、ユーザは、自身が携帯するＭＳに対して発信要求操作を行い、図５に示す一連の通話シーケンス処理を開始する。次いで、図５における図中符号Ｂに示すように、その発信要求操作に応じてＭＳが発信したＣＭサービス要求信号（図７参照）を網が受信すると（図１２のステップＳ１２１）、ＣＰＵ１０１は、そのＭＳのＵＳＥＲ ＩＤと、受信した基地局が配設されたローカルエリアのＬＡＣ、及びその基地局のカバーするセル（基地局）のＣＥＬＬ ＩＤとを検出し、その検出したＵＳＥＲ ＩＤ、ＬＡＣ，及びＣＥＬＬ ＩＤを記憶装置１０２内に記憶すると共に、このＵＳＥＲ ＩＤのカウンタ値クリア期限が経過したか否かを判定する（ステップＳ１２２）。
【００９４】
すなわち、各ＵＳＥＲ ＩＤに対するカウンタ値にはカウンタ値クリア期限という有効期限が設けられており、管理サーバ１００は、その有効期限内に更新されたカウンタ値に基づいた料金割引サービスをユーザに提供する。
【００９５】
ステップＳ１２２において、カウンタ値クリア期限が経過した場合（ステップＳ１２２；Ｙｅｓ）、ＣＰＵ１０１は、このＭＳのＵＳＥＲ ＩＤに対する「基地局管理表」データを記憶装置１０２からロードして、該当するあるローカルエリア内のＣＥＬＬ ＩＤに対する“ＣＯＵＮＴ”の項目に記録されたデータを“０”にセットした後（ステップＳ１２９）、この「基地局管理表」データを記憶装置１０２内に再び格納し、ステップＳ１２３に移行する。
【００９６】
また、ステップＳ１２２において、カウンタ値クリア期限が経過してない場合（ステップＳ１２２；Ｎｏ）、ＣＰＵ１０１は、ステップＳ１２３に移行して、図５に示す一連の通話シーケンス処理を継続してＭＳとの通話を開始する。
【００９７】
次いで、ＣＰＵ１０１は、通話時間のカウントを開始し（ステップＳ１２４）、通話時間が１０分経過したか否かを判定する（ステップＳ１２５）。ステップＳ１２５において、通話時間が１０分経過した場合（ステップＳ１２５；Ｙｅｓ）、上記「基地局管理表」データのあるローカルエリア内の当該ＣＥＬＬ ＩＤに対する“ＣＯＵＮＴ”の項目に記録されたデータに対して“１”を加えた後（ステップＳ１２６）、通話が終了したか否かを判定する（ステップＳ１２７）。
【００９８】
すなわち、ＣＰＵ１０１は、通話時間が１０分経過する毎に上記“ＣＯＵＮＴ”の項目に記録されたデータを１ずつ加算するものであり、ＣＰＵ１０１は、この“ＣＯＵＮＴ”の項目に記録されたデータによって通話時間を評価する。
【００９９】
なお、ＣＰＵ１０１が通話時間を評価する際、１０分経過したか否かによりカウント値を更新していたが、１０分に限らず、５分あるいは１５分等、設定は自由である。
【０１００】
ステップＳ１２５において、通話時間が未だ１０分を経過していない場合（ステップＳ１２５；Ｎｏ）、ＣＰＵ１０１は、通話が終了したか否かを判定し（ステップＳ１３０）、通話が終了した場合（ステップＳ１３０；Ｙｅｓ）、ステップＳ１２８に移行して、図６（ａ）及び（ｂ）に示す通信終了シーケンスに基づいて通話処理を終了する（ステップＳ１２８）。また、通話がまだ終了していない場合（ステップＳ１３０；Ｎｏ）、ＣＰＵ１０１は、ステップＳ１２５に移行して、１０分経過したか否かの監視を続ける。
【０１０１】
ステップＳ１２７においてＣＰＵ１０１は、通話がまだ終了していない場合（ステップＳ１２７；Ｎｏ）、ステップＳ１２４に移行し、また、通話が終了した場合（ステップＳ１２７；Ｙｅｓ）、ステップＳ１２８に移行して通話処理を終了する。
【０１０２】
次いで、ＣＰＵ１０１は、上記「基地局管理表」データに基づいて、「通話時間」データを更新する。すなわち、この「基地局管理表」データに記録された通話時間の評価データを総計し、その総計した値を「通話時間」データに記録して、「通話時間」データを更新する。
【０１０３】
ここで、図１３（ａ）及び（ｂ）を参照して、ユーザが所定期間中に、あるローカルエリア内の各基地局を介して通話した通話時間の評価データを記憶した上記「基地局管理表」データの内容、及び、この「基地局管理表」データから算出された上記「通話時間」データの内容を例示する。なお、通話時間の単位は、「時」、「分」、「秒」の何れであっても良いことは言うまでもない。
【０１０４】
図１３（ａ）に示す複数の「基地局管理表」データは、ＵＳＥＲ ＩＤが“００７７９４９５”のＭＳに対するデータであり、ローカルエリアＬＡａ（そのＬＡＣは“０×０００１”）およびローカルエリアＬＡｄ（そのＬＡＣは“０×０００４”）における「基地局管理表」データの内容を示す。
【０１０５】
図１３（ａ）に示すように、ローカルエリアＬＡａ（そのＬＡＣは“０×０００１”）における「基地局管理表」データは、ＣＥＬＬ ＩＤが“０×０００２”、及び“０×０００３”の基地局（セル）の“ＣＯＵＮＴ”の項目に、“２５”、及び“４０”がそれぞれ記録されている。すなわち、ＵＳＥＲ ＩＤが“００７７９４９５”のＭＳは、ローカルエリアＬＡａ内において上記２つのセル（ＣＥＬＬ ＩＤは“０×０００２”、及び“０×０００３”）に対する通話時間の評価データがそれぞれ２５、及び４０であることがわかる。
【０１０６】
また、ローカルエリアＬＡｄ（そのＬＡＣは“０×０００４”）における「基地局管理表」データには、ＣＥＬＬ ＩＤが“０×０００１”〜“０×０００５”の基地局（セル）の“ＣＯＵＮＴ”の項目に、それぞれ“８０”、“５０”、“４”、“３５”、及び“１０”が記録されている。すなわち、ＵＳＥＲ ＩＤが“００７７９４９５”のＭＳは、ローカルエリアＬＡｄにおいて上記５つのセル（ＣＥＬＬ ＩＤは“０×０００１”〜“０×０００５”）に対する通話時間の評価データがそれぞれ８０、５０、４、３５、及び、１０である。
【０１０７】
図１３（ｂ）に示す「通話時間」データは、４つのＵＳＥＲ ＩＤ、すなわち、“００７７９４９５”〜“００７７９４９８”のＵＳＥＲ ＩＤに対する各種データから構成される。例えば、ＵＳＥＲ ＩＤが“００７７９４９５”のデータは、“ＴＯＴＡＬ  ＣＯＵＮＴ”の項目に“５００”と記録されていることから、通話時間の評価データが５００であり、“ＳＥＲＶＩＣＥ  ＬＥＶＥＬ”の項目に“Ｂ”と記録されていることから、通話料金が１０％オフとなっていることがわかる。
【０１０８】
ここで、図１３（ｂ）に示す“ＳＥＲＶＩＣＥ  ＬＥＶＥＬ”の設定内容について説明する。“ＴＯＴＡＬ  ＣＯＵＮＴ”が２００〜３９９のユーザ（ＭＳ）は“Ｃレベル（５％オフ）”であり、４００〜７９９のユーザ（ＭＳ）は“Ｂレベル（１０％オフ）”であり、また、８００以上のユーザ（ＭＳ）が“Ａレベル（２０％オフ）”である。
【０１０９】
なお、“ＳＥＲＶＩＣＥ  ＬＥＶＥＬ”の設定内容は上記したものに限らず、どのように設定するかは携帯電話事業者により自由である。例えば、この設定内容をサービス対象者によって異なるものとしても良く、サービス対象者が個人の場合と企業の場合とで異なるサービス内容を設定するようにしても良い。
【０１１０】
従って、ユーザ（ＭＳ）が、所定期間内において各ローカルエリア内の所定基地局を介して通話した時間の評価データが「基地局管理表」データに記録され、その「基地局管理表」データから総通話時間が評価されるので、ユーザが実際に網を利用した利用時間に基づいたサービスの提供がなされ、ユーザの利用頻度がより正確に反映された料金割引サービスの提供が可能となる。
【０１１１】
【発明の効果】
請求項１記載の発明によれば、所定期間内にユーザが実際に利用した無線基地局総数に応じて、ユーザに提供する料金割引サービスの割引率を特定するので、ユーザが通話を行った範囲に応じて料金の割引サービスを設定することが可能となる。この料金割引サービスによれば、従来の契約期間に応じた料金割引サービスのようにユーザが実際に通話を行っていない場合にも料金割引サービスを提供するということがなく、ユーザが通話することによってのみ料金割引サービスを提供するので、通話による課金が確実に発生し、携帯電話事業者にとって大きな利益が期待できると共に、ユーザにとっても通話した分だけ料金が割引されるので経済的となる。
【図面の簡単な説明】
【図１】本実施の形態における、携帯電話システム１０の概略構成図である。
【図２】図１に示すローカルエリアＬＡｄの概略構成図である。
【図３】図１に示す管理サーバ１００の内部構造を示す概略ブロック図である。
【図４】図９（ａ）に示す「基地局管理表」データ、及び、図９（ｂ）に示す「発信済み基地局数」データの更新処理を説明するフローチャートである。
【図５】本実施の形態における携帯電話システム１０において、発呼元ＭＳから網への発信時に行われる通話シーケンス処理を示すラダー図である。
【図６】（ａ）は、本実施の形態における携帯電話システム１０において、発呼元ＭＳの通話切断による通信終了シーケンスを示すラダー図であり、（ｂ）は、発呼元ＭＳからの通話切断要求に応じた網の通話切断による通信終了シーケンスを示すラダー図である。
【図７】（ａ）は、図５に示す通話シーケンス処理において、ＭＳが網に送信するＣＭサービス要求信号の内容を示す図であり、（ｂ）は、ＣＭサービス要求信号のデータフォーマットを示す図である。
【図８】（ａ）は、図５に示す通話シーケンス処理において、発呼元ＭＳが網へ発信する接続通知の内容を示す図であり、（ｂ）は、接続通知のデータフォーマットを示す図である。
【図９】（ａ）は、ユーザが所定期間中に、あるローカルエリア内の各基地局にＣＭサービス要求信号を発信したことがあるか否かを記録した「基地局管理表」データの内容を例示する図であり、（ｂ）は、図９（ａ）に示す「基地局管理表」データから算出された「発信済み基地局数」データの内容を例示する図である。
【図１０】ユーザが所定期間中に、あるローカルエリア内の各基地局にＣＭサービス要求信号を発信した発信回数を「基地局管理表」データに記録する記録処理を説明するフローチャートである。
【図１１】（ａ）は、ユーザが所定期間中に、ローカルエリアＬＡａ、ＬＡｄ内の各基地局にＣＭサービス要求信号を発信した発信回数を記録した「基地局管理表」データの内容を例示する図であり、（ｂ）は、図１１（ａ）に示す「基地局管理表」データから算出された「発信回数」データの内容を例示する図である。
【図１２】ユーザが所定期間中に、あるローカルエリア内の各基地局を介して通話した通話時間の評価データを「基地局管理表」データに記憶する記憶処理を説明するフローチャートである。
【図１３】（ａ）は、ユーザが所定期間中に、ローカルエリアＬＡａ、ＬＡｄ内の各基地局を介して通話した通話時間の評価データを記憶した「基地局管理表」データの内容を例示する図であり、（ｂ）は、図１３（ａ）に示す「基地局管理表」データから算出された「通話時間」データの内容を例示する図である。
【符号の説明】
１０  携帯電話システム
１００  管理サーバ
１０１  ＣＰＵ
１０２  記憶装置
１０３  ＲＡＭ
１０４  通信制御装置
１０５  入力装置
１０６  表示装置
１０７  バス
【図１】
0003676671.tif 000002
【図２】
0003676671.tif 000003
【図３】
0003676671.tif 000004
【図４】
0003676671.tif 000005
【図５】
0003676671.tif 000006
【図６】
0003676671.tif 000007
【図７】
0003676671.tif 000008
【図８】
0003676671.tif 000009
【図９】
0003676671.tif 000010
【図１０】
0003676671.tif 000011
【図１１】
0003676671.tif 000012
【図１２】
0003676671.tif 000013
【図１３】
0003676671.tif 000014